Podtech/llm-jp-corpus-v4-ja_patent huggingface dataset:
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
下記の構造を有する化合物：
【化１】
2010536781.tif 000001
(式中、Xは、O、SまたはNHであり；
nは、2または3であり；
Ra、Rb、RcおよびRdは、個々に、0〜4個の炭素原子、0〜10個の水素原子、0〜2個の酸素原子、0〜1個のイオウ原子、0〜1個の窒素原子、0〜3個のフッ素原子、0〜1個の塩素原子および0〜1個の臭素原子からなる安定な基であり；そして、
Reは、HまたはC1〜C4アルキルである)。
【請求項２】
nが2である、請求項１記載の化合物。
【請求項３】
nが3である、請求項１記載の化合物。
【請求項４】
XがOである、請求項１記載の化合物。
【請求項５】
XがSである、請求項１記載の化合物。
【請求項６】
XがNHである、請求項１記載の化合物。
【請求項７】
Ra、Rb、RcおよびRdが、個々に、H、メチル、エチル、C3アルキルおよびC4アルキル、F、Cl、Br、‐CH2OH、‐CH2NH2、‐CHNH(C1〜C4アルキル)、‐CN(C1〜C4アルキル)2、‐CH2CNおよびCF3から選ばれる、請求項１記載の化合物。
【請求項８】
Ra、Rb、RcおよびRdが、個々に、H、メチル、エチル、F、Cl、Br、‐CH2CNおよびCF3から選ばれる、請求項１記載の化合物。
【請求項９】
ReがHである、請求項７記載の化合物。
【請求項１０】
Reがメチルである、請求項７記載の化合物。
【請求項１１】
前記化合物が、下記の構造を有する、請求項２記載の化合物：
【化２】
2010536781.tif 000002
【請求項１２】
下記から選ばれる、請求項１１記載の化合物：
(4,5‐ジヒドロ‐1H‐イミダゾール‐2‐イル)‐(1,2,3,4‐テトラヒドロ‐ナフタレン‐1‐イル)アミン；
[(1S)-(4,5-ジヒドロ-1H-イミダゾール‐2‐イル)‐(1,2,3,4‐テトラヒドロ‐ナフタレン‐1‐イル)]アミン；および、
(4,5‐ジヒドロ‐1H‐イミダゾール‐2‐イル)‐(5,7‐ジメチル‐1,2,3,4‐テトラヒドロ‐ナフタレン‐1‐イル)‐アミン。
【請求項１３】
請求項１〜１２のいずれか１項記載の化合物の、眼圧降下用医薬組成物の製造における使用。
【請求項１４】
請求項１〜１２のいずれか１項記載の化合物の、疼痛の治療用組成物の製造における使用。
【手続補正書】
【提出日】平成22年10月6日(2010.10.6)
【手続補正１】
【補正対象書類名】明細書
【補正対象項目名】０００２
【補正方法】変更
【補正の内容】
【０００２】
有機物を用いた光電子素子は、多様な長所によって次世代素子として脚光を浴びている。特に、活性層を高分子として用いる高分子電子素子の場合、湿式工程が可能であるため、経済性と製作の容易性を有していて、撓むことが可能であるため、新しい電子素子として注目を浴びている。高分子を用いた電子素子が現在の直面する難題は、低い素子性能と短い素子寿命が挙げられ、これは今後、高分子電子素子の商用化のために必ず改善されなければならない部分である。
【手続補正２】
【補正対象書類名】明細書
【補正対象項目名】００４５
【補正方法】変更
【補正の内容】
【００４５】
水分が十分に除去されると、ホットプレート１０の温度が常温に下りた後、注射器を用いてマグネチックバー(ｍａｇｎｅｔｉｃ  ｓｔｉｒｒｉｎｇ ｂａｒ)が回転しているフラスコ１２の注入口にチタンアルコキシドであるチタンイソプロポキシド(Ｔｉｔａｎｉｕｍ(ＩＶ)ｉｓｏｐｒｏｐｏｘｉｄｅ) ５ｍｌをフラスコ壁に沿って徐々に投入する。その後、溶媒として２−メトキシエタノール（ｍｅｔｈｏｘｙｅｔｈａｎｏｌ）２０ｍｌと、添加剤としてエタノールアミン(ｅｔｈａｎｏｌａｍｉｎｅ)２ｍｌを同一の方法で投入し、一時間ぐらい撹はんして投入されたチタニウムイソプロポキシド（ｔｉｔａｎｉｕｍｉｓｏｐｒｏｐｏｘｉｄｅ）、２−メトキシエタノール（ ｍｅｔｈｏｘｙｅｔｈａｎｏｌ）およびエタノールアミン（ｅｔｈａｎｏｌａｍｉｎｅ）が十分に混合されるようにする。この時、注意する点は、窒素を十分に供給して酸素や外部空気の流入を防ぐことである。前記窒素の供給は、窒素注入口１３を通じて行われ、投入された窒素は窒素排気口１７を通じて排出される。
【手続補正３】
【補正対象書類名】明細書
【補正対象項目名】００４６
【補正方法】変更
【補正の内容】
【００４６】
一時間ぐらい常温で撹はんした後、ホットプレート１０の温度を８０℃に高めて約１時間撹はんして生成されたチタン酸化物中間溶液の凝縮過程を実施する。その後、再びホットプレート１０の温度を１２０℃に上げてもう一度撹はんする。この過程は、１時間程度なら充分であるが、フラスコ１２に残っているチタン酸化物の状態にしたがって時間と流す窒素の量を調節しなければならない。ホットプレート１０を用いた温度の上昇によって溶媒が蒸発すると、冷却水注入口１５を通じて冷却水が注入され、蒸発された溶媒は冷却水の影響によってコンデンサー１６内で冷却される。前記冷却水は、冷却水排出口１４を通じて排出される。
【手続補正４】
【補正対象書類名】明細書
【補正対象項目名】００６８
【補正方法】変更
【補正の内容】
【００６８】
洗浄された基板を乾燥オーブンに入れて、約１００℃で１時間以上乾燥して基板に残っているアルコールを除去する。基板のアルコール成分が完全に除去されると、ＩＴＯ表面が親水性を有するように１時間ぐらい紫外線を浴びせておく。
【手続補正５】
【補正対象書類名】明細書
【補正対象項目名】００８９
【補正方法】変更
【補正の内容】
【００８９】
図１３は、ｎ型で溶液ドープされたチタン酸化物が太陽電池に適用された場合の電圧−電流特性を示したグラフである。
図１３に示した太陽電池の特性は、製造例３で開示された方法と同一である。ただし、ｎ型でドープされたチタン酸化物溶液は、製造例１の作成にチタンイソプロポキシドに対して１モル％のニオビウムエトキシドが付加されたものである。また、比較のために図示したドープされていないチタン酸化物溶液が適用された太陽電池は製造例３によって製造された太陽電池である。
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
少なくとも１つの第１物質からなる核およびこの核を少なくとも部分的に包囲する、少なくとも１つの第２物質からなる少なくとも１つの外殻を含む被覆されたナノサイズ粒子を流動系中で製造する方法において、次の工程：
（Ａ）被覆されたナノサイズ粒子の核中に存在する少なくとも１つの第１物質の少なくとも１つの前駆体化合物を含有する反応ガスまたは反応エーロゾルからなる主要流を準備し、
（Ｂ）工程（Ａ）からの反応ガスまたは反応エーロゾル中に存在する少なくとも１つの前駆体化合物を、主要流中での熱的反応によって、製造すべきナノサイズ粒子の核の形成のための相応する少なくとも１つの第１物質に変え、
（Ｃ）少なくとも１つの外殻中に存在する少なくとも１つの第２物質の少なくとも１つの前駆体化合物を含有する他の反応ガスまたは反応エーロゾルを、工程（Ｂ）からの主要流に対して交叉流で添加し、
（Ｄ）工程（Ｃ）からの反応ガスまたは反応エーロゾル中に存在する少なくとも１つの前駆体化合物を、主要流中での熱的反応によって、製造すべきナノサイズ粒子の少なくとも１つの外殻の形成のために相応する少なくとも１つの第２物質に変え、および
（Ｅ）工程（Ｄ）で得られたナノサイズ粒子を、主要流への冷却剤の添加によって急冷し、この場合工程（Ｅ）で冷却速度は、少なくとも１０4Ｋ・ｓ-1であることを含むことを特徴とする、少なくとも１つの第１物質からなる核およびこの核を少なくとも部分的に包囲する、少なくとも１つの第２物質からなる少なくとも１つの外殻を含む被覆されたナノサイズ粒子を流動系中で製造する方法。
【請求項２】
ナノサイズ粒子の核は、少なくとも１つの金属酸化物または半金属酸化物を含有し、ナノサイズ粒子の少なくとも１つの外殻は、少なくとも１つの他の金属酸化物または半金属酸化物を含有する、請求項１記載の方法。
【請求項３】
６００〜２５００℃の温度で核中に存在する相応する金属酸化物または半金属酸化物への前駆体化合物の熱的反応が行なわれる帯域中で実施する、請求項１または２記載の方法。
【請求項４】
温度は、核中に存在する相応する金属酸化物または半金属酸化物への前駆体化合物の熱的反応が行なわれる全反応帯域中で一定である、請求項３記載の方法。
【請求項５】
工程（Ｅ）における冷却剤は、ガスまたは液体である、請求項１から４までのいずれか１項に記載の方法。
【請求項６】
工程（Ｅ）後に得られたナノサイズ粒子は、粉末または分散液として分離される、請求項１から５までのいずれか１項に記載の方法。
【請求項７】
請求項１から６までのいずれか１項に記載の方法により製造された、７０％以上の粒度が、平均粒度から２０ｎｍだけずれている範囲内にあることを特徴とする、ナノサイズ粒子。
【請求項８】
少なくとも１つの第１物質からなる非多孔質核およびこの核を少なくとも部分的に包囲する、少なくとも１つの第２物質からなる少なくとも１つの多孔質外殻を含むナノサイズ粒子において、このナノサイズ粒子が１．８を上廻る、有害物質分解に関連する光活性とポリマー分解に関連する光活性との比を有することを特徴とする、少なくとも１つの第１物質からなる非多孔質核およびこの核を少なくとも部分的に包囲する、少なくとも１つの第２物質からなる少なくとも１つの多孔質外殻を含むナノサイズ粒子。
【請求項９】
ナノサイズ粒子の非多孔質核は、少なくとも１つの金属酸化物または半金属酸化物を含有し、ナノサイズ粒子の少なくとも１つの外殻は、少なくとも１つの他の金属酸化物または半金属酸化物を含有する、請求項８記載のナノサイズ粒子。
【請求項１０】
核がＶ、Ｔｉ、Ｚｒ、Ｃｅ、Ｍｏ、Ｂｉ、Ｚｎ、Ｍｎ、Ｓｉ、Ｂａ、Ａｕ、Ａｇ、Ｐｄ、Ｐｔ、Ｒｕ、Ｒｈ、Ｌａおよびその混合物からなる群から選択された元素の少なくとも１つの金属酸化物または半金属酸化物を含有し、少なくとも１つの外殻がＶ、Ｔｉ、Ｚｒ、Ｃｅ、Ｍｏ、Ｂｉ、Ｚｎ、Ｍｎ、Ｓｉ、Ｂａ、Ａｕ、Ａｇ、Ｐｄ、Ｐｔ、Ｒｕ、Ｒｈ、Ｌａおよびその混合物からなる群から選択された元素の少なくとも１つの他の金属酸化物または半金属酸化物を含有する、請求項９記載のナノサイズ粒子。
【請求項１１】
非多孔質核がＴｉＯ2からなり、多孔質外殻がＳｉＯ2からなる、請求項９または１０記載のナノサイズ粒子。
【請求項１２】
核が１μｍ以下の直径を有し、外殻が１０ｎｍ以下の厚さを有する、請求項７から１１までのいずれか１項に記載のナノサイズ粒子。
【請求項１３】
光触媒反応における請求項７から１２までのいずれか１項に記載のナノサイズ粒子の使用方法。
【請求項１４】
管状反応器中に
核中に存在する少なくとも１つの第１物質の少なくとも１つの前駆体化合物を含有する反応ガスまたは反応エーロゾルを供給しかつ主要流を管状反応器中で形成させるためのユニット、
前記反応ガス中に含有されている少なくとも１つの前駆体化合物を、核中に存在する少なくとも１つの第１物質に熱的に反応させるためのユニット、
少なくとも１つの外殻中に存在する少なくとも１つの第２物質の少なくとも１つの前駆体化合物を含有する反応ガスまたは反応エーロゾルを、主要流に対して交叉流で添加するためのユニット、および
得られたナノサイズ粒子を急速冷却するためのユニットを含む請求項１から６までのいずれか１項に記載の方法を実施するための装置。
【請求項１５】
前記装置の管状反応空間の直径と長さとの比は、１／２〜１／１０である、請求項１４記載の装置。
【手続補正書】
【提出日】平成23年7月15日(2011.7.15)
【手続補正１】
【補正対象書類名】特許請求の範囲
【補正対象項目名】請求項１９
【補正方法】変更
【補正の内容】
【請求項１９】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項１８に記載の使用。
【手続補正２】
【補正対象書類名】特許請求の範囲
【補正対象項目名】請求項２３
【補正方法】変更
【補正の内容】
【請求項２３】
腫瘍が、急性骨髄性白血病、慢性骨髄性白血病、急性リンパ性白血病および／または慢性リンパ性白血病の群に由来する、請求項２２に記載の使用。
【手続補正３】
【補正対象書類名】明細書
【補正対象項目名】０１１５
【補正方法】変更
【補正の内容】
【０１１５】
固形腫瘍は、好ましくは肺、扁平上皮、膀胱、胃、腎臓、頭頸部、食道、子宮頸部、甲状腺、腸、肝臓、脳、前立腺、尿生殖路、リンパ系および／または喉頭の腫瘍の群から選択される。
固形腫瘍はさらに、好ましくは肺腺癌、小細胞肺癌、膵臓癌、神経膠芽腫、結腸癌および乳癌の群から選択される。
【手続補正４】
【補正対象書類名】明細書
【補正対象項目名】０１１６
【補正方法】変更
【補正の内容】
【０１１６】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正５】
【補正対象書類名】明細書
【補正対象項目名】０１５１
【補正方法】変更
【補正の内容】
【０１５１】
ＨＰＬＣ方法：
方法Ａ：勾配：４．５分／流：３ｍｌ／分、９９：０１〜０：１００
水＋０．１％（容積）のＴＦＡ：アセトニトリル＋０．１％（容積）のＴＦＡ
０．０〜０．５分：９９：０１
０．５〜３．５分：９９：０１→０：１００
３．５〜４．５分：０：１００
カラム：Chromolith SpeedROD RP18e 50-4.6
波長：２２０ｎｍ
【手続補正６】
【補正対象書類名】明細書
【補正対象項目名】０１５２
【補正方法】変更
【補正の内容】
【０１５２】
方法Ｂ：勾配：４．２分／流：２ｍｌ／分、９９：０１〜０：１００
水＋０．１％（容積）のＴＦＡ：アセトニトリル＋０．１％（容積）のＴＦＡ
０．０〜０．２分：９９：０１
０．２〜３．８分：９９：０１→０：１００
３．８〜４．２分：０：１００
カラム：Chromolith Performance RP18e；長さ１００ｍｍ、内径３ｍｍ波長：２２０ｎｍ
滞留時間Ｒｔ．、単位［分］。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
薬剤における活性成分としてのピペル・クベバ（Piper cubeba L.）の果実の乾燥抽出物の製造方法であり、
−エッセンシャルオイルの除去用の第１ステップにて、ピペル・クベバ（Piper cubeba L.）の果実を、
−−水蒸気蒸留にさらし、留出物を除去する、または
−−親油性相で少なくとも１回抽出し、この親油性抽出物もしくはこれらの親油性抽出物を除去する、
−第２ステップにて、処理をした該果実を、少なくとも１つのアルコールまたは少なくとも１つのアルコールと水の混合液のいずれかで少なくとも１回抽出する、および
−第３ステップにて、抽出された果実部分を除去し、得られた該抽出物を助剤の添加後に０.１〜１０ｍ／ｍ  ％の間のアルコール濃度まで最初に濃縮してスピッサム（spissum）抽出物とし、次いで乾燥させて得られること、
を特徴とする製造方法。
【請求項２】
ピペル・クベバ（Piper cubeba L.）の未成熟果実を用い、抽出の直前に粉砕し、粉砕形態にて、特に０.１ｍｍ〜０.９ｍｍの粉砕粒径（grinding fineness）を有する粉砕形態にて抽出することを特徴とする、請求項１の製造方法。
【請求項３】
第１ステップにて、親油性相として超臨界ＣＯ２または４〜９個の炭素原子を有する直鎖状もしくは分枝鎖状炭化水素、特にヘキサンもしくはイソペンタンを用いることを特徴とする、請求項１〜２のいずれか１項の製造方法。
【請求項４】
第１ステップにて抽出される重量部あたりの果実が、親油性相の１〜２０重量部、特に６〜１２重量部にて用いられることを特徴とする、請求項１〜３のいずれか１項の製造方法。
【請求項５】
第１ステップにて、親油性相での抽出が温度０℃〜５０℃、特に５℃〜１５℃で、２〜４時間の間に実現されることを特徴とする、請求項１〜４のいずれか１項の製造方法。
【請求項６】
第２ステップにて、アルコールが１〜５個の炭素原子を有するアルコール、特にエタノールであり、少なくとも１つのアルコールと水の混合液が５０〜９０ｍ／ｍ  ％のアルコールと５０〜１０ｍ／ｍ  ％の水、好ましくは８０〜９０ｍ／ｍ  ％のアルコールと２０〜１０ｍ／ｍ  ％の水からなり、エタノールが好まれることを特徴とする、請求項１〜５のいずれか１項の製造方法。
【請求項７】
第２ステップにて抽出される重量部あたりの果実が、少なくとも１つのアルコールまたは少なくとも１つのアルコールと水の混合液の１〜２０重量部、特に６〜１２重量部にて用いられることを特徴とする、請求項１〜６のいずれか１項の製造方法。
【請求項８】
第２ステップにて、少なくとも１つのアルコールまたは少なくとも１つのアルコールと水の混合液での抽出が温度２０℃〜６０℃で、２〜４時間の間に実現されることを特徴とする、請求項１〜７のいずれか１項の製造方法。
【請求項９】
第３ステップにて、助剤が乾燥助剤、例えばマンニトールであり、５ｍ／ｍ  ％のアルコール濃度まで濃縮され、乾燥がスプレー乾燥、ベルト乾燥またはブレード乾燥であることを特徴とする、請求項１〜８のいずれか１項の製造方法。
【請求項１０】
第３ステップにて得られる抽出物が、α−クベベン（cubebene）およびβ−クベベン（cubebene）が存在しない、またはほとんど存在しないことを特徴とする、請求項１〜９のいずれか１項の製造方法。
【請求項１１】
癌疾患、特に前立腺癌、精巣癌、乳癌、子宮癌、およびこれらの転移からなる群から選択される少なくとも１つの疾患の治療用の薬剤の製造におけるピペル・クベバ（Piper cubeba L.）由来の抽出物または抽出物化合物の使用であり、これらの抽出物またはこれらの抽出物化合物が抗アンドロゲンおよび／または抗エストロゲン活性を有する使用。
【請求項１２】
癌疾患、特に前立腺癌、精巣癌、乳癌、子宮癌、およびこれらの転移ならびに良性前立腺過形成からなる群から選択される少なくとも１つの疾患の治療用の薬剤の製造における請求項１〜１０のいずれか１項の製造方法で得られた抽出物の使用。
【請求項１３】
前立腺癌、およびその転移、ならびに良性前立腺過形成の治療用の薬剤の製造における請求項１〜１０のいずれか１項の製造方法で得られた抽出物の使用であり、この抽出物がＤＨＴと略される性ホルモンであるジヒドロテストステロンの活性、特に前立腺癌細胞に対するその細胞増殖促進および抗アポトーシス活性と拮抗する使用。
【請求項１４】
癌疾患、特に前立腺癌、精巣癌、乳癌、子宮癌、およびこれらの転移ならびに良性前立腺過形成からなる群から選択される少なくとも１つの疾患の治療用の薬剤であり、活性成分としてピペル・クベバ（Piper cubeba L.）由来の抽出物または抽出物化合物を含み、この抽出物またはこれらの抽出物化合物が抗アンドロゲンおよび／または抗エストロゲン活性を有することを特徴とする薬剤。
【請求項１５】
活性成分が請求項１〜１０のいずれか１項の製造方法で得られた抽出物に含まれることを特徴とする、請求項１４の薬剤。
【請求項１６】
抽出物が、ＤＨＴと略される性ホルモンであるジヒドロテストステロンの活性、特に前立腺癌細胞に対するその細胞増殖促進および抗アポトーシス効果と拮抗する、前立腺癌、およびその転移、または良性前立腺過形成の治療用の薬剤の製造用の、請求項１〜１０のいずれか１項の製造方法で得られた抽出物の使用。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
式Ｉの化合物
【化１】
2010536766.tif 000001
（式中、
Ｒ１はヒドロキシまたはフルオロであり、
Ｒ２はＣ１−Ｃ４アルキルであり、
Ｒ３は水素またはフェニルであり、
Ｒ４は水素、フェニル、またはＣ１−Ｃ４アルキルであり、
Ｒ５は水素またはフェニルであるが、ただし、Ｒ３、Ｒ４、およびＲ５のうち１つは水素以外であり、かつ、他の２つは水素である）。
【請求項２】
Ｒ４は水素またはフェニルのいずれかである請求項１記載の化合物。
【請求項３】
Ｒ４はフェニルである請求項１または２いずれか１項記載の化合物。
【請求項４】
Ｒ１はヒドロキシであり、かつ、Ｒ２はメチルである請求項１〜３いずれか１項記載の化合物。
【請求項５】
次式の化合物。
【化２】
2010536766.tif 000002
【請求項６】
請求項１〜５いずれか１項記載の化合物および薬理学的に許容できる希釈剤を含む医薬組成物。
【手続補正書】
【提出日】平成23年8月10日(2011.8.10)
【手続補正１】
【補正対象書類名】明細書
【補正対象項目名】００６０
【補正方法】変更
【補正の内容】
【００６０】
少なくとも１個の塩形成基を有する本発明の化合物の「塩」は、自体公知の方法で製造することができる。例えば、酸性基を有する本発明の化合物の塩は、例えば当該化合物を金属化合物、例えば好適な有機カルボン酸のアルカリ金属塩、例えば２−エチルヘキサン酸のナトリウム塩で、有機アルカリ金属化合物またはアルカリ土類金属化合物、例えば対応するヒドロキシド、カルボネートまたはハイドロゲンカルボネート、例えばナトリウムまたはカリウムのヒドロキシド、カルボネートまたはハイドロゲンカルボネートで、対応するカルシウム化合物で、あるいはアンモニアもしくは好適な有機アミンで、好ましくは化学量論量またはわずかに過剰の塩形成剤を用いて処理して、形成することができる。本発明の化合物の酸付加塩は、常套の方法で、例えば該化合物を酸または好適なアニオン交換剤で処理して得られる。酸性および塩基性塩形成基、例えば遊離カルボキシ基と遊離アミノ基を含む本発明の化合物の分子内塩は、例えば弱塩基による等電点への、酸付加塩のような塩の中和またはイオン交換剤による処理によって形成させることができる。
【手続補正２】
【補正対象書類名】明細書
【補正対象項目名】００８９
【補正方法】変更
【補正の内容】
【００８９】
抽出：  全ての発酵ブロスを１６００Ｌの鉄容器に移し、１時間かけてデカントした。濾紙で濾過して、湿った細胞ペレット（２００ｇ）を底分画から得た。細胞ペレットを１０リットルの酢酸エチルでそれぞれ３０分間turax処理(turaxing)して３回抽出した。次いで、残留水を溶媒相から分離した。溶媒相を５リットルの水で洗浄し、次いで蒸発させて、「細胞抽出物」と称する乾燥抽出物を得た。
培養濾液を２００リットルの酢酸エチルで抽出した。１時間のturax処理を含む２時間の接触時間の後、有機相を分離し、２０リットルの水で洗浄し、最後に蒸発させて、「培養濾液抽出物」と称する乾燥抽出物を得た。
【手続補正３】
【補正対象書類名】明細書
【補正対象項目名】０１０１
【補正方法】変更
【補正の内容】
【０１０１】
抽出：  全ての発酵ブロスを１６００Ｌの鉄容器に移し、１時間かけてデカントした。濾紙で濾過して、湿った細胞ペレット（約２００ｇ）を底分画から得た。細胞ペレットを１０リットルの酢酸エチルでそれぞれ３０分間turax処理して３回抽出した。次いで、残留水を溶媒相から分離した。溶媒相を５リットルの水で洗浄し、次いで蒸発させて、「細胞抽出物」と称する乾燥抽出物１１．９ｇを得た。
培養濾液を２００リットルの酢酸エチルで抽出した。１時間のturax処理を含む２時間の接触時間の後、有機相を分離し、２０リットルの水で洗浄し、最後に蒸発させて、「培養濾液抽出物」と称する乾燥抽出物１２．５ｇを得た。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
ヒト被験体における眼疾患を治療するための方法において使用するための、第２の製剤と組み合わせて使用するための第１の製剤であって、
該第１の製剤は、所定量のラパマイシンを含んでおり、
該第２の製剤は、所定量の第２の治療剤を含んでおり、
該第１の製剤および該第２の製剤はそれぞれ、該所定量の該ラパマイシンおよび該所定量の該第２の治療剤が共に眼疾患を治療するに有効となるように、ヒト被験体に眼内送達または眼周囲送達によって投与されるものである、第１の製剤。
【請求項２】
前記第２の治療剤は、ラニビズマブ、ベバシズマブ、およびベルテポルフィンからなる群より選択される、請求項１に記載の第１の製剤。
【請求項３】
２％（ｗ／ｗ）のラパマイシン、４％（ｗ／ｗ）のエタノール、および９４％（ｗ／ｗ）のＰＥＧ４００から本質的になる、請求項２に記載の第１の製剤。
【請求項４】
４％（ｗ／ｗ）のラパマイシン、４％（ｗ／ｗ）のエタノール、および９２％（ｗ／ｗ）のＰＥＧ４００から本質的になる、請求項２に記載の第１の製剤。
【請求項５】
１％（ｗ／ｗ）のラパマイシン、４％（ｗ／ｗ）のエタノール、および９５％（ｗ／ｗ）のＰＥＧ４００から本質的になる、請求項２に記載の第１の製剤。
【請求項６】
前記眼疾患は加齢黄斑変性症または黄斑浮腫である、請求項２に記載の第１の製剤。
【請求項７】
前記加齢黄斑変性症は滲出型加齢黄斑変性症である、請求項６に記載の第１の製剤。
【請求項８】
前記黄斑浮腫は糖尿病性黄斑浮腫である、請求項６に記載の第１の製剤。
【請求項９】
前記第２の製剤と同時に投与されるものである、請求項１に記載の第１の製剤。
【請求項１０】
前記第２の製剤の後に投与される、請求項１に記載の第１の製剤。
【請求項１１】
前記第２の製剤が１００μｇ〜５００μｇのラニビズマブまたはベバシズマブを含んでいる、請求項１に記載の第１の製剤。
【請求項１２】
２００μｇ〜２０００μｇのラパマイシンを含んでいる、請求項１に記載の第１の製剤。
【手続補正書】
【提出日】平成23年7月26日(2011.7.26)
【手続補正１】
【補正対象書類名】明細書
【補正対象項目名】００３２
【補正方法】変更
【補正の内容】
【００３２】
図１０を参照すると、単一供給部、三相入力および単相出力構成を実現するために、入力モジュール１６は、バイパス短絡ジャンパ要素１０２および第１の二次ジャンパ要素１０４で構成されてもよい。図示のとおり、主電源によって与えられる三相ＡＣ電流は、３つの電線で端子Ｌ１、Ｌ２およびＬ３のねじ突起に接続される。この接続は、図１０において矢印１５０、１５２および１５４で表わされる。矢印１５６、１５８および１６０は、ＵＰＳ１０への、端子Ｌ１、Ｌ２およびＬ３（具体的には、図５に示されるソケット端子４０ｄ、４０ｅおよび４０ｆ）に対応するソケット端子の接続を表わし、ＵＰＳ１０のバイパス動作中において、矢印１５６は、並列に接続されたソケット端子４０ａ、４０ｂ、４０ｃを表わす。矢印１５２によって表わされる電線を通る全ＡＣ電流は、ソケット端子Ｂ１、Ｂ２、Ｂ３に分配される。この接続を完成させるために、中性線および接地線が、それぞれ、中性端子Ｎおよび接地端子Ｇに設けられたねじ突起に接続される。矢印１６２、１６４は、それぞれの中性端子および接地端子への電線の接続を表わす。矢印１６６、１６８は、ソケット端子４０ｇおよびピン端子４２を介するＵＰＳ１０への中性端子および接地端子の接続を表わす。
【手続補正２】
【補正対象書類名】明細書
【補正対象項目名】００４１
【補正方法】変更
【補正の内容】
【００４１】
図１５を参照すると、三相出力接続を実現するために、三相電流が、出力モジュール１８の３つのピン端子Ｌ１、Ｌ２およびＬ３によってＵＰＳ１０から与えられる。この接続は図１５において矢印２５６、２５８、２６０で表わされる。矢印２６２、２６４および２６６は、それぞれ、所望のハードワイヤード出力への端子Ｌ１、Ｌ２およびＬ３に対応する端子の接続を表わす。この接続を完成させるために、中性線および接地線が、それぞれ、中性端子Ｎおよび接地端子Ｇに設けられたねじ突起９６に接続される。矢印２６８、２７０は、出力に至るそれぞれの中性端子および接地端子への電線の接続を表わす。
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
細胞の目的とするタンパク質の力価を増加させる方法であって、
a.目的とするタンパク質をコードする核酸配列において、C末端アミノ酸リジンをコードするコドンを欠失させ、
b.a)からの改変核酸を含むベクターで細胞をトランスフェクトし、
c.前記目的とするタンパク質の製造を可能にする条件下で前記細胞を培養すること
を特徴とし、
前記細胞が無血清条件下で培養され、かつ、
前記目的とするタンパク質が抗体またはFc融合タンパク質である、前記方法。
【請求項２】
細胞内で目的とするタンパク質を製造する方法であって、
a.目的とするタンパク質の力価を増加させるための請求項1記載の方法で細胞群を処理し、
b.少なくとも1つの選択圧力の存在下で工程a)からこれらの細胞を選択し、
c.場合により単一細胞クローニングを行い、
d.細胞または培養上清から目的とするタンパク質を得ること
を特徴とする前記方法。
【請求項３】
請求項２記載の少なくとも1つの目的とするタンパク質を製造する方法であって、段階b)を行った後に、製造に用いる細胞をさらに遺伝子増幅段階にかけることを特徴とする前記方法。
【請求項４】
目的とするタンパク質が抗体の重鎖であり、C末端アミノ酸がリジン(Lys)であることを特徴とする、請求項1〜３のいずれか１項記載の方法。
【請求項５】
抗体の重鎖がIgG1、IgG2、IgG3またはIgG4型に属し、好ましくはIgG1、IgG2またはIgG4型に属することを特徴とする請求項４記載の方法。
【請求項６】
目的とするタンパク質が、モノクローナル抗体、ポリクローナル抗体、哺乳動物抗体、マウス抗体、キメラ抗体、ヒト化抗体、霊長類抗体またはヒト抗体、Fc、Fc-Fc融合タンパク質、または前記目的とするタンパク質のフラグメントの1つと他のペプチドもしくはポリペプチドとの融合ポリペプチド、または、Fc-ペプチド融合タンパク質、またはFc-毒素融合タンパク質であることを特徴とする、請求項1〜４の1つに記載の方法。
【請求項７】
懸濁培養で細胞を培養することを特徴とする、請求項1〜６のいずれか１項記載の方法。
【請求項８】
細胞が真核細胞であり、好ましくは哺乳動物細胞である、請求項1〜７のいずれか１項記載の方法。
【請求項９】
細胞がCHO細胞であり、好ましくはCHO DG44細胞であることを特徴とする、請求項８記載の方法。
【請求項１０】
C-末端アミノ酸が欠失していないタンパク質の力価に比較して、力価が少なくとも10％、20％、50％、好ましくは75％増大する、請求項１記載の方法。
【請求項１１】
C-末端アミノ酸が欠失していないタンパク質の比生産性に比較して、比生産性が少なくとも10％、20％、50％、好ましくは75％増大する、請求項１記載の方法。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
溶液中のアスパラギナーゼ活性を増加させる方法であって、前記方法は、
ａ）飲料水を処理して、塩素濃度が０．５ｐｐｍ未満の処理水とする工程と、
ｂ）アスパラギナーゼを前記処理水と混合して、アスパラギナーゼ溶液を調製する工程とを含む方法。
【請求項２】
飲料水を酸で処理することを含む請求項１に記載の方法。
【請求項３】
飲料水を活性炭を用いて処理することを含む請求項１に記載の方法。
【請求項４】
工程ａ）における前記処理水は、イオン交換樹脂を用いて処理されることを特徴とする請求項１に記載の方法。
【請求項５】
工程ａ）における前記処理水は、逆浸透を用いて処理されることを特徴とする請求項１に記載の方法。
【請求項６】
前記処理水は、エアストリッピングによって処理されることを特徴とする請求項１に記載の方法。
【請求項７】
前記アスパラギナーゼ溶液は、少なくとも８０％の残存活性を含むことを特徴とする請求項１に記載の方法。
【請求項８】
前記処理水は、還元剤によって処理されることを特徴とする請求項１に記載の方法。
【請求項９】
前記還元剤は、塩化第一スズ二水和物、亜硫酸ナトリウム、メタ重亜硫酸ナトリウム、アスコルビン酸、アスコルビン酸誘導体、イソアスコルビン酸（エリソルビン酸）、アスコルビン酸誘導体の塩、鉄、亜鉛、第一鉄イオン、およびその組み合わせから選択される１つ以上の物質を含むことを特徴とする請求項８に記載の方法。
【請求項１０】
前記処理水は、８．０未満のｐＨを有することを特徴とする請求項１に記載の方法。
【請求項１１】
前記飲料水は、塩素の最終濃度を、添加剤未添加の場合よりも低い濃度にまで減少させるのに十分な添加剤で処理されることを特徴とする請求項１に記載の方法。
【請求項１２】
前記処理水は、塩素捕捉剤によって処理されることを特徴とする請求項１に記載の方法。
【請求項１３】
前記添加剤はチオ硫酸塩を含むことを特徴とする請求項１１に記載の方法。
【請求項１４】
前記残存活性は、アスパラギナーゼが飲料水に加えられた後の少なくとも３０分にわたって少なくとも８０％である、請求項７に記載の方法。
【請求項１５】
飲料水の供給源と、アスパラギナーゼの供給源と、アスパラギナーゼとの混合前に飲料水を処理する処理系と、処理飲料水とアスパラギナーゼとを混合する送達系と、を含む装置。
【請求項１６】
前記処理系は、塩素を除去すること又は塩素を不活性化することを特徴とする請求項１５に記載の装置。
【手続補正２】
【補正対象書類名】明細書
【補正対象項目名】発明の名称
【補正方法】変更
【補正の内容】
【発明の名称】溶液中のアスパラギナーゼ活性を増加させる方法及び装置
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
頂部及び該頂部から垂下する側壁を有するキャップを害虫駆除デバイスから除去するための器具であって、
ハブと、
相互に向かい合った関係で前記ハブから垂下する少なくとも二つの指部であって、第1の横断距離をそれらの間に有し、それによって、前記キャップが前記器具によって受け入れられると指部の内表面が前記キャップの前記側壁と係合する向かい合った指部と、
前記指部に円周上で隣接し、且つ相互に向かい合った関係で前記ハブから垂下する少なくとも二つのスカート部であって、前記向かい合った指部の間の前記第1の横断方向距離よりも長い第2の横断方向距離をそれらの間に有する向かい合ったスカート部と、を備える、器具。
【請求項２】
ばね下位置と、前記指部が前記キャップを捕捉するように適合されたばね上位置との間で、前記指部が弾性的に移動可能である、請求項1に記載の器具。
【請求項３】
前記指部がそれぞれ、前記スカート部それぞれの厚みよりも大きな厚みを有している、請求項1に記載の器具。
【請求項４】
前記器具が四つの指部を備え、向かい合った対の形で前記指部が前記ハブの周りに配列されている、請求項1に記載の器具。
【請求項５】
前記キャップが前記器具に受け入れられたときに前記キャップの前記側壁と係合するように前記スカート部が適合されている、請求項1に記載の器具。
【請求項６】
前記キャップが前記器具に受け入れられたときに第1の力で前記キャップの前記側壁と係合するように前記指部が適合され、前記キャップが前記器具に受け入れられたときに第2の力で前記キャップの前記側壁と係合するように前記スカート部が適合され、前記第1の力が前記第2の力よりも大きい、請求項5に記載の器具。
【請求項７】
前記器具が単一片構造のものである、請求項1に記載の器具。
【請求項８】
前記器具がプラスチックである、請求項7に記載の器具。
【請求項９】
前記キャップが前記器具に受け入れられたときに前記キャップの一部分を受け入れる切欠きを、前記スカート部がそれぞれ備えている、請求項1に記載の器具。
【請求項１０】
前記器具の下縁部を前記スカート部及び前記指部が共同で規定し、前記器具の前記下縁部に隣接した前記スカート部及び前記指部の表面の少なくとも一部分に刻み目が付けられた、請求項1に記載の器具。
【請求項１１】
害虫駆除デバイスのキャップと組み合わされている、請求項1に記載の器具。
【請求項１２】
頂部及び該頂部から垂下する側壁を有するキャップを害虫駆除デバイスから除去するための器具であって、
前記キャップを前記器具内に受け入れるためのソケットを協働して規定する、ハブと指部を備え、該指部は、円周上で相互に間隔を有する関係で前記ハブから垂下する少なくとも二つの指部であり、
前記指部がそれぞれ下縁部及び外表面を有し、前記指部の前記下縁部に隣接して中に形成された少なくとも一つの作用部材を各指部の前記外表面が有している、器具。
【請求項１３】
前記ハブから下向きに延びるスカートであって、下縁部及び外表面を有するスカートを前記器具が更に備え、前記スカートの前記下縁部に隣接して中に形成された少なくとも一つの作用部材を前記スカートの前記外表面が有している、請求項12に記載の器具。
【請求項１４】
複数の刻み目を有している、請求項13に記載の器具。
【請求項１５】
前記キャップが前記器具に受け入れられたときに前記キャップの前記側壁と係合するように前記指部が構成されている、請求項13に記載の器具。
【請求項１６】
ばね下位置と、前記指部が前記キャップを捕捉するように適合されたばね上位置との間で、前記指部が移動可能である、請求項15に記載の器具。
【請求項１７】
前記キャップが前記器具に受け入れられたときに前記キャップの前記側壁と係合するように前記スカートが構成されている、請求項16に記載の器具。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
生物学的物質を処理するためにピペット操作可能な物質を受け取るための容器であって、
−外壁(72)、
−外壁(72)によって境界がつけられる、ピペット操作可能な物質を受け取るための隣接する物質の空間(74)、
−物質の空間(74)にアクセスするために穴を開けられ得る複数の開口部領域(40)を有する壁、
を含む、前記容器。
【請求項２】
１以上の開口部領域(40)の穴開けの際の力に対抗するように作られた補強(33)を更に含む、請求項１に記載の容器。
【請求項３】
補強(33)は、開口部領域(40)とは異なる材料厚さ、及び／又は、より厚い材料厚さを有する、請求項２に記載の容器。
【請求項４】
補強(33)は、
−各開口部領域(40)を少なくとも部分的に取り囲む補強された包囲部(34)；および、
−包囲部(34)に接触している複数の補強隆起部(35)、
を含む、請求項２または３に記載の容器。
【請求項５】
補強隆起部(35)は、開口部領域の中心の周りに実質的に星形状に配置される、請求項４に記載の容器。
【請求項６】
補強(33)は、２つの開口部領域の間で横に延びる少なくとも１つの中間隆起部(36)を含み、かつ補強隆起部(35)の少なくとも一部は、１つの中間隆起部若しくは複数の中間隆起部(36)又は壁の縁に接触する、請求項２〜５のいずれか１項に記載の容器。
【請求項７】
開口部領域の周りに設けられた補強(33)は、開口部領域に向かって次第に細くなる実質的に円錐状のガイドを提供する、請求項２〜６のいずれか１項に記載の容器。
【請求項８】
開口部領域(40)は、少なくとも部分的に開口部領域(40)よりも小さい材料厚さを有する境界領域(50)によって境界がつけられる、請求項１〜７のいずれか１項に記載の容器。
【請求項９】
開口部領域(40)は、互いに独立して、実質的に円形、楕円形及び多角形を含む群から選択される形態を有する、請求項１〜８のいずれか１項に記載の容器。
【請求項１０】
開口部領域(40)の少なくとも一部は、少なくとも１列に実質的に配置され、かつ、開口部領域(40)の中心は、９ｍｍの整数倍で互いに間隔を空けている、請求項１〜９のいずれか１項に記載の容器。
【請求項１１】
物質のための同定マーキングによる標識領域(79)を更に含む、請求項１〜１０のいずれか１項に記載の容器。
【請求項１２】
同定マーキングはバーコードである、請求項１１に記載の容器。
【請求項１３】
標識領域(79)は、開口部領域に対して傾いた角度で配置される、請求項１１または１２に記載の容器。
【請求項１４】
ピペット操作可能な物質に対して透過性である１以上の中間壁要素(76)を物質の空間(74)に含み、１以上の中間壁要素は、開口部領域(40)に対して実質的に垂直に配置されるか、及び／又は、壁まで延びている、請求項１〜１３のいずれか１項に記載の容器。
【請求項１５】
生物学的な標的分子を含有する物質を処理し、精製し、及び／もしくは分析するために、並びに／又は生物学的な標的分子を処理し、及び／もしくは分析するためにピペット操作可能な物質によって充填されている、請求項１〜１４のいずれか１項に記載の容器。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
バイオマスから糖含有量が高い加水分解物を生産するための方法であって、
ａ）粒子サイズ低減機構を有する直立型撹拌タンク反応器に、
ｉ）混合可能な前処理バイオマススラリーの一部、および
ii）セルロースを加水分解可能な少なくとも１つの酵素を含んでなる第１の糖化酵素コンソーシアムの一部
を含んでなる反応成分の一部を備えるステップと、
ｂ）該スラリーおよび酵素を適切な条件下で反応させるステップと、
ｃ）粒子サイズ低減機構を適用するステップと、
ｄ）さらなる前処理バイオマスの一部を添加し、より高い固形バイオマススラリーを生産するステップと、
ｅ）場合により、糖化酵素コンソーシアムのさらなる一部を添加するステップと、
ｆ）上記より高い固形バイオマススラリーを適切な条件下で反応させるステップと、
ｇ）場合により、１つもしくはそれ以上のステップ（ｃ）、（ｄ）、（ｅ）、および（ｆ）を１回もしくはそれ以上の回数繰り返すステップと、
を含んでなり、
それにより糖含有量が高い加水分解物を生産し、かつここにスラリーの降伏応力が３０Ｐａ未満で維持される、方法。
【請求項２】
ステップ（ａ）（ｉ）の前処理バイオマススラリーの混合可能な一部を、低粘度成分のヒールおよび前処理バイオマスの一部を直立型撹拌タンク反応器内で結合させ、かつ酵素の添加前に温度およびｐＨを調整することによって備える請求項１に記載の方法。
【請求項３】
バイオマスの一部が連続的に添加される請求項１に記載の方法。
【請求項４】
結合されるすべての前処理バイオマスの一部におけるバイオマスの乾燥室質量が最終加水分解生成物の質量の２０％より大きい請求項１に記載の方法。
【請求項５】
粒子サイズ低減機構を適用するステップが、ステップ（ｂ）の前、その間、もしくはその後に、またはそれらの任意の組み合わせで、１回またはそれ以上の回数行なわれる請求
項１に記載の方法。
【請求項６】
ｐＨおよび温度がさらなる前処理バイオマスの一部を添加後に制御される請求項１に記載の方法。
【請求項７】
ｐＨが約４〜約１０の間に調整される請求項２または６に記載の方法。
【請求項８】
温度が約２０℃〜約８０℃の間に調整される請求項２または６に記載の方法。
【請求項９】
バイオマスの乾燥質量が少なくとも約２４％である請求項４に記載の方法。
【請求項１０】
バイオマスが複数の供給原料に由来する請求項１に記載の方法。
【請求項１１】
糖含有量が高い加水分解物が単糖およびオリゴ糖を含有する請求項１に記載の方法。
【請求項１２】
加水分解物中の糖類の濃度が少なくとも約１００ｇ／Ｌである請求項１１に記載の方法。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
改善された前処理バイオマス生産物を調製するための方法であって、
ａ）バイオマスを備えるステップと、
ｂ）該バイオマスを適切な条件下でアンモニアを含有する水溶液と接触させ、バイオマス−水性アンモニア混合物を形成することによって前記バイオマスを前処理するステップであって、ここでアンモニアはバイオマス−水性アンモニア混合物のアルカリ性ｐＨを維持するのに少なくとも十分な濃度で存在するが、ここで該アンモニアはバイオマスの乾燥質量に対して約１２質量パーセント未満で存在し、またさらにここでバイオマスの乾燥質量はバイオマス−水性アンモニア混合物の質量に対して少なくとも約１５質量パーセントの高固体濃度であり、それにより前処理バイオマス固体生産物および１つもしくはそれ以上のインヒビター化合物を含むバイオマス前処理液が形成されるステップと、
ｃ）該バイオマス前処理液を移動させるステップと、
を含み、ここで前処理バイオマス固体生産物は低減された量のインヒビター化合物しか有せず、かつ糖含有物がごくわずかしか低下しない、方法。
【請求項２】
次の様式、すなわち
ｉ）ステップ（ｂ）の前
ii）ステップ（ｂ）における追加的成分として、または
iii）ステップ（ｂ）の後の洗浄ステップとして
の中の１つもしくはそれ以上において追加的水性成分を添加するステップをさらに含む、請求項１に記載の方法。
【請求項３】
追加的水性成分が蒸気、水、および緩衝液からなる群から選択される請求項２に記載の方法。
【請求項４】
水性成分が蒸気であり、かつステップ（ｂ）における追加的成分として添加され、ここ
で蒸気は前処理の間に部分凝縮し、バイオマス前処理液の一部を形成する請求項３に記載の方法。
【請求項５】
前処理バイオマス固体生産物を糖化し、発酵性糖を形成するステップをさらに含む請求項１に記載の方法。
【請求項６】
請求項５に記載の糖類を発酵し、標的化学物質を生産させるステップをさらに含む請求項５に記載の方法。
【請求項７】
バイオマス−水性アンモニア混合物のｐＨが８より大きい請求項１に記載の方法。
【請求項８】
バイオマスとアンモニアを含有する水溶液とを接触させる前に真空がバイオマスに適用される請求項１に記載の方法。
【請求項９】
バイオマスの乾燥質量が、バイオマス−水性アンモニア混合物の質量に対して少なくとも約１５％〜約８０％の高固体濃度である請求項１に記載の方法。
【請求項１０】
アンモニアがバイオマスの乾燥質量に対して約１０質量パーセント未満で存在する請求項１に記載の方法。
【請求項１１】
バイオマスが、スイッチグラス、紙くず、製紙汚泥、トウモロコシ粒、トウモロコシ穂軸、トウモロコシの皮、コーンストーバー、トウモロコシ繊維、草、小麦、麦かん、乾草、大麦、大麦わら、稲わら、サトウキビバガス、モロコシ、大豆、穀物の加工から得られる成分、木、枝、根、葉、ウッドチップ、おがくず、低木およびブッシュ、野菜、果物、花、ならびに動物糞尿からなる群から選択される請求項１に記載の方法。
【請求項１２】
バイオマスが、トウモロコシ穂軸、コーンストーバー、トウモロコシ繊維、トウモロコシの皮、サトウキビバガス、おがくず、スイッチグラス、麦かん、乾草、稲わら、および草からなる群から選択される請求項１１に記載の方法。
【請求項１３】
バイオマスが複数の供給原料から得られる請求項１に記載の方法。
【請求項１４】
（ｂ）が約４℃〜約２００℃の温度で行なわれる請求項１に記載の方法。
【請求項１５】
（ｂ）が約７５℃〜約１５０℃の温度で行なわれる請求項１１に記載の方法。
【請求項１６】
（ｂ）が９０℃より高く〜約１５０℃の温度で行なわれる請求項１２に記載の方法。
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
熱ショックタンパク質の発現を阻害する、単離した二本鎖リボ核酸（ｄｓＲＮＡ）分子であって、前記ｄｓＲＮＡが２本のヌクレオチド鎖と、第１鎖の３’末端を第２鎖の５’末端に結合させる結合部分とを含み、第１鎖が１９〜２８個の連続ヌクレオチドの長さを示し、標的遺伝子中の配列と実質的に同一であり、第２鎖が第１鎖に対して実質的に相補的である、単離したｄｓＲＮＡ。
【請求項２】
標的遺伝子が配列番号３を含む、請求項１に記載のｄｓＲＮＡ。
【請求項３】
第１鎖が配列番号４、５又は６を含む、請求項１に記載のｄｓＲＮＡ。
【請求項４】
請求項１〜３のいずれか１項に記載のｄｓＲＮＡを含む細胞の形質導入のためのベクターファミリー。
【請求項５】
ベクターがレトロウイルスベクターか又はレンチウイルスベクターである、請求項４に記載のベクターファミリー。
【請求項６】
増殖性障害を治療するための、請求項１に記載のｄｓＲＮＡの治療量を含む薬剤であって、該増殖性障害が腫瘍増殖により証明される、上記薬剤。
【請求項７】
請求項１に記載のｄｓＲＮＡと賦形剤とを含む、医薬品組成物。
【請求項８】
配列番号３と実質的に同一であるヌクレオチドの第１鎖と、第１鎖に対して実質的に相補的である第２鎖とを含む、単離した二本鎖リボ核酸分子。
【請求項９】
配列番号３中に提示される配列を含む核酸分子によりコードされているタンパク質の発現を阻害し、ｄｓＲＮＡの第１鎖が配列番号３と実質的に同一であり、第２鎖が第１鎖に対して実質的に相補的である、単離した二本鎖リボ核酸。